(57)【要約】【課題】耐熱性を向上するとともに、その表面に防滑性を付与するとともに、装飾性を向上した盆及びその盆の製造方法を提供する。【解決手段】物品を載置できる載置部と、該載置部の外周に形成した縁部を有する盆において、前記載置部は、ポリプロピレンで構成した基部と、該基部の表面側に設けられ、かつ、載置した物品の滑り移動を抑制する防滑部を有し、この防滑部は、前記基部側に設けた無軸延伸ポリプロピレン層と、表面側に設けた防滑層をラミネート加工により貼り合わせて構成するとともに、無軸延伸ポリプロピレン層又は防滑層における貼り合わせ面に印刷を施す。【選択図】なし【特許請求の範囲】
【請求項１】
物品を載置できる載置部と、該載置部の外周部に形成した縁部を有する盆において、
前記載置部は、ポリプロピレンで構成した基部と、該基部の表面側に設けられ、かつ、載置した物品の滑り移動を抑制する防滑部を有し、
この防滑部は、前記基部側に設けた無軸延伸ポリプロピレン層と、表面側に設けた防滑層をラミネート加工により貼り合わせて構成するとともに、無軸延伸ポリプロピレン層又は防滑層における貼り合わせ面に印刷を施したことを特徴とする盆。
【請求項２】
前記防滑層は、スチレン系又はオレフィン系のエラストマー層で構成したことを特徴とする請求項１記載の盆
【請求項３】
物品を載置できる載置部と、該載置部の外周部に形成した縁部を有する盆において、
前記載置部は、ポリプロピレンで構成した基部と、該基部の表面側に設けられ、かつ、載置した物品の滑り移動を抑制する防滑部を有し、
この防滑部は、前記基部側に設けた無軸延伸ポリプロピレン層と、表面側に設けた防滑層をラミネート加工により貼り合わせて構成するとともに、無軸延伸ポリプロピレン層又は防滑層における貼り合わせ面に印刷を施した盆の製造方法であって、
成形型が開いた状態で、前記防滑部を、成形型内の所定位置に設置した後に、成形型を閉じ、その後に、成形型内にポリプロピレンを射出し前記載置部を成形することを特徴とする盆の製造方法。
【発明の詳細な説明】
【技術分野】
【０００１】
本発明は、盆及びその盆の製造方法に関するものである。
【背景技術】
【０００２】
従来、食器などの物品を載せて運ぶための平面状の載置部と、該載置部の外周部に形成した縁部を有する盆において、載置部の表面に印刷などにより模様や図柄などの意匠を付して装飾性を高めるとともに、その表面に食器などの物品が、載置部における表面の面方向へ滑り移動することを抑制する防滑性を向上したものとして、ＡＢＳ樹脂で構成した基部の表面に印刷を施した後に、その表面にウレタン塗装を施すようにしたものが知られている。
【発明の概要】
【発明が解決しようとする課題】
【０００３】
近年、コーヒーショップチェーン、大企業の社員食堂などでは、高熱スチーム殺菌・洗浄機を用いて、食器などを大量に殺菌・洗浄・乾燥処理することが行われている。しかし、上記従来の盆では、基部がＡＢＳ樹脂で構成されていることから耐熱性が低く、高熱スチーム殺菌・洗浄機を用いて洗浄を行うと、基部が、変形したり、クラッキングが生じたり、劣化したりする恐れがある。
【０００４】
また、ＡＢＳ樹脂では、防滑性を有するフィルムを用いてインサート成形を行うことが難しいため、ＡＢＳ樹脂にウレタン塗装を施した盆に適用することができる印刷方法は限定され、上記従来の盆に高い装飾性を有する印刷を施すことは難しかった。
【０００５】
そこで、本発明は、耐熱性等を向上するとともに、高い装飾性を有する印刷方法を用いることができる盆及びその盆の製造方法を提供することを目的とするものである。
【課題を解決するための手段】
【０００６】
前記の課題を解決するために、請求項１記載の発明は、物品を載置できる載置部と、該載置部の外周部に形成した縁部を有する盆において、
前記載置部は、ポリプロピレンで構成した基部と、該基部の表面側に設けられ、かつ、載置した物品の滑り移動を抑制する防滑部を有し、
この防滑部は、前記基部側に設けた無軸延伸ポリプロピレン層と、表面側に設けた防滑層をラミネート加工により貼り合わせて構成するとともに、無軸延伸ポリプロピレン層又は防滑層における貼り合わせ面に印刷を施したことを特徴とする盆である。
【０００７】
請求項２記載の発明は、請求項１記載の発明において、前記防滑層は、スチレン系又はオレフィン系のエラストマー層で構成したことを特徴とするものである。
【０００８】
請求項３記載の発明は、物品を載置できる載置部と、該載置部の外周部に形成した縁部を有する盆において、
前記載置部は、ポリプロピレンで構成した基部と、該基部の表面側に設けられ、かつ、載置した物品の滑り移動を抑制する防滑部を有し、
この防滑部は、前記基部側に設けた無軸延伸ポリプロピレン層と、表面側に設けた防滑層をラミネート加工により貼り合わせて構成するとともに、無軸延伸ポリプロピレン層又は防滑層における貼り合わせ面に印刷を施した盆の製造方法であって、
成形型が開いた状態で、前記防滑部を、成形型内の所定位置に設置した後に、成形型を閉じ、その後に、成形型内にポリプロピレンを射出し前記載置部を成形することを特徴とする盆の製造方法である。
【発明の効果】
【０００９】
本発明は、ポリプロピレンで構成した基部と、該基部の表面側に設けた防滑部を有し、この防滑部は、前記基部側に設けた無軸延伸ポリプロピレン層と、表面側に設けた防滑層を有し、無軸延伸ポリプロピレン層又は防滑層の貼り合わせ面に印刷を施したことにより、印刷面が、防滑部の外部に露出せず、基部と無軸延伸ポリプロピレン層の接合時に、印刷面が悪影響を受けることが少ない。また、基部をポリプロピレンで構成したことにより、盆の耐熱性、耐アルカリ性、耐沸水性、耐薬品性を高めることができる。
【００１０】
また、無軸延伸ポリプロピレン層と防滑層をラミネート加工により貼り合わせた防滑部を用いるとともに、防滑部の無軸延伸ポリプロピレン層と、基部を構成するポリプロピレンとは接着性が良いことから、載置部の表面に防滑部を安定して固定することができる。
【発明を実施するための形態】
【００１１】
本発明を実施するための形態について説明する。
【００１２】
本発明の盆は、コップ、湯飲み、茶碗、皿などの食器等の物品を載置できる載置部を有し、この載置部の外周部には、その周方向全体に亘って形成された縁部が形成され、載置部と縁部は一体に形成されている。載置部の上面形状は、方形状、円状、楕円状、多角形状など任意の形状に形成することができる。また、縁部の形状も任意に形成することができる。また、縁部は、盆の使用時において、その外側部が、載置部より上方に位置するように形成されていれば、任意の形状に形成することができる。載置部の表面は、平面状に形成してもよいし、その表面にエッチング等により凹凸を形成し、載置する物品が載置部に張り付かないようにしてもよい。
【００１３】
載置部は、ポリプロピレンで形成した板状の基部を有し、基部の表面側には、その表面側に物品を載置した際に、その物品の載置部における表面側の面方向への滑り移動を抑制する防滑性を有する防滑部が設けられている。基部を構成するポリプロピレンには、顔料や添加剤などを添加して、その耐熱温度を上昇するようにしてもよい。
【００１４】
防滑部は、フィルム又はシート状の無軸延伸ポリプロピレン（ＣＰＰ）層と、フィルム又はシート状の防滑性を有する防滑層の２層をラミネート加工により貼り合わせて積層した膜状部材で構成されている。防滑層が表面側に、無軸延伸ポリプロピレン層が基部側に位置するように配置されている。また、無軸延伸ポリプロピレン層の表面側の面にグラビア印刷、スクリーン印刷、オフセット印刷などの印刷により模様や図柄等の意匠が付され、その表面全体を防滑層が覆っている。防滑層は、印刷部を、防滑層を通して視認できるように透明性を有する材質で構成されている。
【００１５】
防滑層を、エラストマー、ＥＶＡ、ウレタン、ポリエチレンシリコンラバーなどの防滑性を有するフィルム又はシートで構成するが、エラストマーのフィルム又はシートで構成することが好ましい。本実施例では、防滑層を、スチレン系又はオレフィン系のエラストマーのフィルム又はシートで構成した。
【００１６】
次に、上記盆の製造方法について説明する。
【００１７】
予め、無軸延伸ポリプロピレンのフィルム又はシートの表面に印刷を施し、その表面側に、エラストマーフィルム又はシートをラミネート加工により貼り合わせて防滑部を形成するとともに、無軸延伸ポリプロピレン層とエラストマー層を形成する。なお、印刷は、無軸延伸ポリプロピレン層における貼り合わせ面（内側面）ではなく、エラストマー層における貼り合わせ面（内側面）に施してもよい。
【００１８】
次に、固定型と可動型を有し、可動型を固定型に対して相対的に接離方向に移動できるようにした成形型を用い、先ず、可動型を固定型に対して離間させ、可動型における少なくとも載置部の表面部を構成する部分に、予め形成した防滑部を、そのエラストマー層が可動型と接するように所定の位置に取付ける。
【００１９】
次に、可動型を、固定型側へ所定距離移動させた後に、防滑部又は可動型と、固定型との間に形成された形成空間内に、ポリプロピレンを固定型側から射出して、ポリプロピレンにより、基部と縁部を形成し、盆が形成される。防滑部の無軸延伸ポリプロピレンと、基部のポリプロピレンとは接着性が良いので、載置部の表面に防滑部を固定することができる。
【００２０】
次に、ポリプロピレンが冷却・固化した後に、可動型を固定型に対して離間させて、本発明の盆を得る。なお、上記移動型と固定型とは、相互に移動できれば良く、例えば、上記移動型を固定し、防滑部を取付けた上記固定型を、上記移動型に対して接離方向に移動できるようにしてもよい。また、移動型と固定型との、相対的移動方向は、上下方向でも左右方向でも良く、任意に設定することができる。
【００２１】
上記構成、製造方法により、防滑部を基部に安定して固定できるとともに、任意の図柄を盆に施すことができ、盆の演出効果、付加価値が増大するとともに、載置部の表面に防滑性を付与することができる。
【００２２】
また、本発明の盆は、その載置部の基部を、ポリプロピレンで構成したことにより、耐熱性、耐アルカリ性、耐沸水性、耐薬品性を高めることができ、食器などとともに、本発明の盆も同時に、高熱スチーム殺菌・洗浄機などを用いて、多量に洗浄、乾燥処理を行うことができ、洗浄性を向上させることができる。
【００２３】
また、予め、フィルム又はシート状の無軸延伸ポリプロピレン層又は防滑層の張り合わせ面に印刷を施し、この面に、フィルム又はシート状の防滑層又は無軸延伸ポリプロピレン層をラミネート加工により貼り合わせて防滑部を形成し、印刷面が、防滑部の外部に露出しないようにしたことにより、ポリプロピレンを射出して基部を形成する際に、ポリプロピレンの射出時の射出圧やその温度により印刷インクが溶融するのを防ぎ、印刷面が安定し、装飾性が損なわれない。更に、無軸延伸ポリプロピレン層又は防滑層に、予め印刷を施すことにより、グラビア印刷、オフセット印刷、スクリーン印刷等の種々の精密な印刷方法を選択することができるため、盆に、精密で美しい印刷を施すことができ、上記従来技術の盆と比較して、デザイン性、装飾性を向上することができる。
【００２４】
また、予め、ラミネート加工により防滑部を形成し、防滑部の無軸延伸ポリプロピレン層と、基部を構成するポリプロピレンとを接合するようにしたことにより、これら相互の接着性、相溶性、インサート性がよく、載置部の表面に防滑層を安定して固着することができる。
【００２５】
また、印刷面が、防滑層により被覆されていることにより、使用時において、物品等が印刷面と接触することがなく、印刷面の劣化を抑制できる。
【００２６】
なお、縁部の表面側に、防滑部を設けてもよく、また設けなくてもよい。